(57)【要約】【課題】流量測定機器の機種に関係なく正常なパラメータデータを設定することができるパラメータ設定装置、パラメータ設定プログラムおよびパラメータ設定プログラムを記録した記録媒体を提供すること。【解決手段】流量測定機器の有する流量パラメータにパラメータデータを設定するパラメータ設定装置１００において、予め記憶された機種識別データＤＳが流量測定機器の機種識別データＰＳと一致するか否かを判別する機種判別手段１１２と、機種判別手段１１２によって一致すると判別された場合には予め記憶された機種識別データＤＳに対応する機種固有パラメータデータＤＫを読み込み、不一致と判別された場合には流量測定機器の機種識別データＰＳに対応する機種固有パラメータ初期データＤＴを読み込む流量パラメータデータ読み込み手段１１３と、を備えたことを特徴とするもの。【選択図】図１
2010266249.tif 000002
【特許請求の範囲】
【請求項１】
流量測定機器の有する流量パラメータにパラメータデータを設定するパラメータ設定装置において、
予め記憶された機種識別データ（ＤＳ）が前記流量測定機器の機種識別データ（ＰＳ）と一致するか否かを判別する機種判別手段と、
この機種識別手段によって一致すると判別された場合には前記予め記憶された機種識別データ（ＤＳ）に対応する機種固有パラメータデータ（ＤＫ）を読み込み、不一致と判別された場合には前記流量測定機器の機種識別データ（ＰＳ）に対応する機種固有パラメータ初期データ（ＤＴ）を読み込む流量パラメータデータ読み込み手段と、
を備えたことを特徴とするパラメータ設定装置。
【請求項２】
コンピュータを、
予め記憶された機種識別データ（ＤＳ）が流量測定機器の機種識別データ（ＰＳ）と一致するか否かを判別する機種判別手段、
この機種識別手段によって一致すると判別された場合には前記予め記憶された機種識別データ（ＤＳ）に対応する機種固有パラメータデータ（ＤＫ）を読み込み、不一致と判別された場合には前記流量測定機器の機種識別データ（ＰＳ）に対応する機種固有パラメータ初期データ（ＤＴ）を読み込む流量パラメータデータ読み込み手段、
この流量パラメータデータ読み込み手段によって読み込まれたパラメータデータを前記流量測定機器の有する流量パラメータに設定する通信手段、
として機能させるためのパラメータ設定プログラム。
【請求項３】
請求項２に記載のパラメータ設定プログラムが記録されたコンピュータ読み取り可能な記録媒体。
【請求項４】
流量測定機器の有する流量パラメータにパラメータデータを設定するパラメータ設定装置において、
予め記憶された機種識別データ（ＤＳ）が前記流量測定機器の機種識別データ（ＰＳ）と一致するか否かを判別する機種判別手段と、
この機種識別手段によって一致すると判別された場合には前記予め記憶された機種識別データ（ＤＳ）に対応する機種固有パラメータデータ（ＤＫ）を読み込み、不一致と判別された場合には入力手段から入力された前記流量測定機器の機種識別データ（ＰＳ）に対応する機種固有パラメータデータ（ＤＮ）を読み込む流量パラメータデータ読み込み手段と、
を備えたことを特徴とするパラメータ設定装置。
【請求項５】
コンピュータを、
予め記憶された機種識別データ（ＤＳ）が流量測定機器の機種識別データ（ＰＳ）と一致するか否かを判別する機種判別手段、
この機種識別手段によって一致すると判別された場合には前記予め記憶された機種識別データ（ＤＳ）に対応する機種固有パラメータデータ（ＤＫ）を読み込み、不一致と判別された場合には入力手段から入力された前記流量測定機器の機種識別データ（ＰＳ）に対応する機種固有パラメータデータ（ＤＮ）を読み込む流量パラメータデータ読み込み手段、
この流量パラメータデータ読み込み手段によって読み込まれたパラメータデータを前記流量測定機器の有する流量パラメータに設定する通信手段、
として機能させるためのパラメータ設定プログラム。
【請求項６】
請求項５に記載のパラメータ設定プログラムが記録されたコンピュータ読み取り可能な記録媒体。
【発明の詳細な説明】
【技術分野】
【０００１】
本発明は、パラメータ設定装置、パラメータ設定プログラムおよび記録媒体に関し、特に、流量測定機器の機種に関係なく正常なパラメータデータを設定する技術に関するものである。
【背景技術】
【０００２】
化学プラントなどで流量制御を行うため、配管を流れる被測定流体の流量を測定する流量測定機器が知られている。流量測定機器には、差圧式流量計、渦式流量計などの様々な機種が存在する。例えば、差圧式流量計は、オリフィス、ノズルなどの絞りを配管に挿入し、絞りの上流側と下流側との差圧をセンサによって検出して、差圧データと流量パラメータに設定されたデータとを用いて質量流量を測定する。
【０００３】
また、渦式流量計は、測定された体積流量と、流量パラメータとして設定された密度データとを乗算することによって質量流量を測定することができる。そして、流量測定機器の有する流量パラメータにパラメータデータを設定するパラメータ設定装置が一般に知られており、このパラメータ設定装置について図５の構成図を用いて説明する。
【０００４】
図５において、パラメータ設定装置１は、入力手段２、流量パラメータエディタ手段１０、通信手段２０、汎用パラメータエディタ手段３０および表示手段４０を備える。流量パラメータエディタ手段１０は、流量パラメータデータ記憶手段１１、流量パラメータデータ読み込み手段１２および流量パラメータデータ変換手段１３を備える。また、流量パラメータデータ記憶手段１１は、機種共通パラメータデータＤＣおよび機種固有パラメータデータＤＫを記憶し、汎用パラメータエディタ手段３０は汎用パラメータデータＤＨを記憶している。
【０００５】
流量パラメータＰＲ、汎用パラメータＰＨ、流量演算手段５１および出力手段５２を備える流量測定機器５０Ａは、通信手段２０を介してパラメータ設定装置１に接続される。
【０００６】
ＧＵＩ（Ｇｒａｐｈｉｃａｌ  Ｕｓｅｒ  Ｉｎｔｅｒｆａｃｅ）などの入力手段２からユーザーによって入力されたデータ（人間によって理解しやすいデータであって、以下、「ユーザーデータ」という）は、機種共通パラメータデータＤＣまたは機種固有パラメータデータＤＫに記憶され、流量パラメータデータ読み込み手段１２は、機種共通パラメータデータＤＣおよび機種固有パラメータデータＤＫを読み込む。
【０００７】
流量パラメータデータ変換手段１３は、流量パラメータデータ読み込み手段１２から機種共通パラメータデータＤＣおよび機種固有パラメータデータＤＫを取得し、流量測定機器５０Ａ（差圧式流量計）の流量演算で用いることのできる形式のパラメータデータ（以下、「流量測定機器用パラメータデータ」という）に変換する。
【０００８】
通信手段２０は、流量パラメータデータ変換手段１３から流量測定機器用パラメータデータを取得し、流量測定機器５０Ａの流量パラメータＰＲに設定する。表示手段４０は、ＧＵＩによって生成される設定画面を表示する。
【０００９】
汎用パラメータエディタ手段３０は、入力手段２から入力された汎用パラメータデータＤＨを記憶し、通信手段２０は、汎用パラメータデータＤＨを流量測定機器５０Ａの汎用パラメータＰＨに設定する。
【００１０】
ここで、機種共通パラメータデータＤＣは、差圧式流量計、渦式流量計などの各機種に共通のパラメータデータであって、例えば、流体の種類（気体、液体、天然ガスなど）を表すデータ、流体の物性データ（天然ガス演算規格に対応したデータなど）および流体の密度データなどがある。
【００１１】
機種固有パラメータデータＤＫは、各機種に固有のパラメータデータであって、例えば、差圧式流量計の場合には絞りの内径データ、配管の内径データなどがあり、渦式流量計の場合には渦センサ、温度センサの補正データなどがある。汎用パラメータデータＤＨは、各機種に汎用のパラメータデータであって、例えば、流量レンジおよび単位などがある。
【００１２】
流量測定機器５０Ａの流量演算手段５１は、センサの検出データと流量パラメータＰＲに設定された流量測定機器用パラメータデータとを用いて流量を演算し、出力手段５２は流量データを出力する。なお、非特許文献１には、差圧式流量計において、これらのパラメータデータと差圧データとを用いた質量流量Ｑｍの演算式が記載されている。
【００１３】
なお、特許文献１および非特許文献１には、同様のパラメータ設定装置が記載されている。
【００１４】
【特許文献１】特開２００８−０４２８４９号公報
【非特許文献１】伊藤章雄、外５名、「マルチバリアブル伝送器ＥＪＸ９１０」、横河技報、横河電機株式会社、２００６年４月２０日、Ｖｏｌ．５０  Ｎｏ．２（２００６）  ｐ．６５−６８
【発明の開示】
【発明が解決しようとする課題】
【００１５】
流量測定機器５０Ａは差圧式流量計、流量測定機器５０Ｂは渦式流量計であり、流量測定機器（差圧式）５０Ａに接続されているパラメータ設定装置１は、機種固有パラメータデータＤＫに差圧式流量計固有のパラメータデータを記憶している。この場合、パラメータ設定装置１が、差圧式流量計固有のパラメータデータを差圧式流量計に設定しても問題は発生せず、差圧式流量計は正常な流量を演算することができる。
【００１６】
しかしながら、このパラメータ設定装置１が渦式流量計に接続された場合、渦式流量計には差圧式流量計固有のパラメータデータが設定されるため、渦式流量計は正常な流量を演算することができない。このように、パラメータ設定装置１は、異なる機種に対し、正常な固有パラメータデータを設定することができないという問題がある。
【００１７】
また、渦式流量計に正常な固有パラメータデータを設定するには、ユーザーは、パラメータ設定装置１の機種固有パラメータデータＤＫに、渦式流量計固有のパラメータデータを記憶させなければならず、利便性が悪いという問題がある。
【００１８】
さらに、製造者は、異なる機種ごとに、流量パラメータエディタ手段１０を機能させるプログラムを開発しなければならず、開発負担が大きくなるという問題がある。
【００１９】
本発明の目的は、流量測定機器の機種に関係なく正常なパラメータデータを設定することができるパラメータ設定装置、パラメータ設定プログラムおよびパラメータ設定プログラムを記録した記録媒体を提供することである。
【課題を解決するための手段】
【００２０】
このような目的を達成するために、請求項１の発明は、
流量測定機器の有する流量パラメータにパラメータデータを設定するパラメータ設定装置において、
予め記憶された機種識別データ（ＤＳ）が前記流量測定機器の機種識別データ（ＰＳ）と一致するか否かを判別する機種判別手段と、
この機種識別手段によって一致すると判別された場合には前記予め記憶された機種識別データ（ＤＳ）に対応する機種固有パラメータデータ（ＤＫ）を読み込み、不一致と判別された場合には前記流量測定機器の機種識別データ（ＰＳ）に対応する機種固有パラメータ初期データ（ＤＴ）を読み込む流量パラメータデータ読み込み手段と、
を備えたことを特徴とする。
請求項２の発明は、パラメータ設定プログラムであって、
コンピュータを、
予め記憶された機種識別データ（ＤＳ）が流量測定機器の機種識別データ（ＰＳ）と一致するか否かを判別する機種判別手段、
この機種識別手段によって一致すると判別された場合には前記予め記憶された機種識別データ（ＤＳ）に対応する機種固有パラメータデータ（ＤＫ）を読み込み、不一致と判別された場合には前記流量測定機器の機種識別データ（ＰＳ）に対応する機種固有パラメータ初期データ（ＤＴ）を読み込む流量パラメータデータ読み込み手段、
この流量パラメータデータ読み込み手段によって読み込まれたパラメータデータを前記流量測定機器の有する流量パラメータに設定する通信手段、
として機能させることを特徴とする。
請求項３の発明は、コンピュータ読み取り可能な記録媒体であって、請求項２に記載のパラメータ設定プログラムが記録されたことを特徴とする。
請求項４の発明は、
流量測定機器の有する流量パラメータにパラメータデータを設定するパラメータ設定装置において、
予め記憶された機種識別データ（ＤＳ）が前記流量測定機器の機種識別データ（ＰＳ）と一致するか否かを判別する機種判別手段と、
この機種識別手段によって一致すると判別された場合には前記予め記憶された機種識別データ（ＤＳ）に対応する機種固有パラメータデータ（ＤＫ）を読み込み、不一致と判別された場合には入力手段から入力された前記流量測定機器の機種識別データ（ＰＳ）に対応する機種固有パラメータデータ（ＤＮ）を読み込む流量パラメータデータ読み込み手段と、
を備えたことを特徴とする。
請求項５の発明は、パラメータ設定プログラムであって、
コンピュータを、
予め記憶された機種識別データ（ＤＳ）が流量測定機器の機種識別データ（ＰＳ）と一致するか否かを判別する機種判別手段、
この機種識別手段によって一致すると判別された場合には前記予め記憶された機種識別データ（ＤＳ）に対応する機種固有パラメータデータ（ＤＫ）を読み込み、不一致と判別された場合には入力手段から入力された前記流量測定機器の機種識別データ（ＰＳ）に対応する機種固有パラメータデータ（ＤＮ）を読み込む流量パラメータデータ読み込み手段、
この流量パラメータデータ読み込み手段によって読み込まれたパラメータデータを前記流量測定機器の有する流量パラメータに設定する通信手段、
として機能させることを特徴とする。
請求項６の発明は、コンピュータ読み取り可能な記録媒体であって、請求項５に記載のパラメータ設定プログラムが記録されたことを特徴とする。
【発明の効果】
【００２１】
本発明によれば、機種判別手段によって、予め記憶された機種識別データ（ＤＳ）と流量測定機器の機種識別データ（ＰＳ）とが一致するか否かを判別し、一致する場合には流量パラメータデータ読み込み手段が、予め記憶された機種識別データ（ＤＳ）に対応する機種固有パラメータデータ（ＤＫ）を読み込み、不一致の場合には流量測定機器の機種識別データ（ＰＳ）に対応する機種固有パラメータデータ（ＤＴまたはＤＮ）を読み込む。そして、このパラメータデータを流量パラメータに設定する。これによって、異なる機種に対し正常な固有パラメータデータを設定することができ、異なる機種において正常な流量演算を可能とするパラメータ設定装置、パラメータ設定プログラムおよびパラメータ設定プログラムを記録した記録媒体を実現できる。併せて、ユーザーにとってパラメータ設定の利便性を良く、製造者にとってパラメータ設定プログラムの開発負担を小さくすることができる。
【発明を実施するための最良の形態】
【００２２】
［第１の実施例］
第１の実施例について図１を用いて説明する。図１は、本発明に係るパラメータ設定装置１００の構成図であり、図５（背景技術）と同一のものは同一符号を付し説明を省略する。
【００２３】
図１において、本発明のパラメータ設定装置１００は、入力手段２、通信手段２０、汎用パラメータエディタ手段３０、表示手段４０を備えるほか、流量パラメータエディタ手段１１０を備えることを特徴とする。流量パラメータエディタ手段１１０は、流量パラメータデータ変換手段１３、流量パラメータデータ記憶手段１１１、機種判別手段１１２および流量パラメータデータ読み込み手段１１３を備える。
【００２４】
流量パラメータデータ記憶手段１１１は、入力手段２から入力されたユーザーデータを、機種識別データＤＳ、機種共通パラメータデータＤＣ、機種固有パラメータデータ（差圧式固有）ＤＫおよび機種固有パラメータ初期データ（渦式固有）ＤＴに予め記憶する。
【００２５】
ここで、機種識別データＤＳは、差圧式流量計を識別するためのデータ（データ「Ａ」）であって、流量測定機器５０Ａ（差圧式流量計）に記憶された機種識別データＰＳ（データ「Ａ」）と一致する。機種識別データＤＳはパラメータ設定装置１００側（上位側）に記憶、機種識別データＰＳは流量測定機器５０Ａ側（下位側）に記憶されている。また、流量測定機器５０Ｂ（渦式流量計）も流量測定機器５０Ａと同様の構成であるが、流量測定機器５０Ｂに記憶された機種識別データＰＳは、データ「Ｂ」であり、機種識別データＤＳと不一致である。
【００２６】
機種固有パラメータデータ（差圧式固有）ＤＫは、差圧式流量計固有の絞りの内径データ、配管の内径データなどである。機種固有パラメータ初期データ（渦式固有）ＤＴは、渦式流量計固有の渦センサ、温度センサの補正データの初期データなどである。
【００２７】
機種判別手段１１２は機種識別データＤＳを取得し、流量パラメータデータ読み込み手段１１３は、機種判別手段１１２の判別結果に基づいて機種固有パラメータデータＤＫまたは機種固有パラメータ初期データＤＴを読み込む。
【００２８】
流量パラメータデータ変換手段１３は、流量パラメータデータ読み込み手段１１３によって読み込んだパラメータデータを取得し、差圧式流量計の流量演算で用いることのできる形式の流量測定機器用パラメータデータに変換する。通信手段２０は、流量測定機器用パラメータデータを取得し、パラメータ設定装置１００に接続されている流量測定機器（差圧式）５０Ａの流量パラメータＰＲに設定する。なお、通信手段２０は有線通信の他、無線通信であってもよい。
【００２９】
つぎに、パラメータ設定装置１００の動作について、図２の動作フローチャート図を用いて説明する。なお、以下の説明は、流量測定機器５０Ａ、５０Ｂが稼動しているオンライン状態の場合である。
【００３０】
図２において、機種判別手段１１２は、通信手段２０を介して流量測定機器（差圧式）５０Ａの有する機種識別データＰＳ（下位側）を取得し、このデータと予め記憶された機種識別データＤＳ（上位側）とを比較する（ステップＳ１０）。機種判別手段１１２が、両方のデータを一致すると判別した場合にはステップＳ２０へ移行し、不一致と判別した場合にはステップＳ１００へ移行する。
【００３１】
なお、ステップＳ１０における比較は、機種識別データＤＳとＰＳをそれぞれ格納するファイルの拡張子（例えば、．ＸＭＶ（差圧式）、．ＶＭＶ（渦式））同士を比較してもよい。
【００３２】
まず、流量測定機器５０Ａ（差圧式流量計）がパラメータ設定装置１００に接続されている場合について説明する。この場合、両方のデータは「Ａ」で一致するのでステップＳ２０へ移行する。
【００３３】
その後、流量パラメータデータ読み込み手段１１３は、機種共通パラメータデータＤＣを読み込む（ステップＳ２０）。流量パラメータデータ変換手段１３は、機種共通パラメータデータＤＣを差圧式流量計形式の流量測定機器用パラメータデータに変換する（ステップＳ３０）。通信手段２０は、この変換データを流量測定機器５０Ａの流量パラメータＰＲに設定する（ステップＳ４０）。
【００３４】
その後、流量パラメータデータ読み込み手段１１３は、機種識別データＤＳ（上位側）に対応する機種固有パラメータデータ（差圧式固有）ＤＫを読み込む。詳細はつぎの通りである。機種固有パラメータデータＤＫに関連付けれられたインデックスＩＮＤＫには、機種識別データＤＳ（データ「Ａ」）と同じデータ「Ａ」が記憶されている。流量パラメータデータ読み込み手段１１３は、機種識別データＤＳとインデックスＩＮＤＫとを比較し（ステップＳ５０）、両方のデータが一致した場合、インデックスＩＮＤＫに関連付けられた機種固有パラメータデータ（差圧式固有）ＤＫを読み込む（ステップＳ６０）。
【００３５】
その後、流量パラメータデータ変換手段１３は、機種固有パラメータデータＤＫを、差圧式流量計形式の流量測定機器用パラメータデータに変換し（ステップＳ７０）、通信手段２０は、この変換データを流量測定機器（差圧式）５０Ａの流量パラメータＰＲに設定する（ステップＳ８０）。
【００３６】
この動作によって、流量測定機器（差圧式）５０Ａの流量パラメータＰＲには、正常なパラメータデータが設定されるので、流量測定機器５０Ａは正常な流量演算を行うことができる。
【００３７】
つぎに、流量測定機器５０Ｂ（渦式流量計）が、このパラメータ設定装置１００に接続されている場合の動作について説明する。
【００３８】
機種判別手段１１２は、通信手段２０を介して流量測定機器（渦式）５０Ｂの有する機種識別データＰＳ（下位側）（データ「Ｂ」）を取得し、このデータと予め記憶された機種識別データＤＳ（上位側）とを比較する（ステップＳ１０）。機種識別データＤＳはデータ「Ａ」であるので、機種判別手段１１２は両方のデータを不一致と判別し、ステップＳ１００へ移行する。
【００３９】
表示手段４０は、機種不一致である旨のメッセージデータを表示し（ステップＳ１００）、ユーザからの流量測定機器５０Ｂへのパラメータデータ設定許可を待つ（ステップＳ１１０）。
【００４０】
設定許可を受け取った場合、ステップＳ１２０へ移行し、流量パラメータデータ読み込み手段１１３は、機種共通パラメータデータＤＣを読み込む（ステップＳ１２０）。流量パラメータデータ変換手段１３は、機種共通パラメータデータＤＣを渦式流量計形式の流量測定機器用パラメータデータに変換し（ステップＳ１３０）、通信手段２０は、この変換データを流量測定機器（渦式）５０Ｂの流量パラメータＰＲに設定する（ステップＳ１４０）。
【００４１】
その後、流量パラメータデータ読み込み手段１１３は、流量測定機器（渦式）５０Ｂの有する機種識別データＰＳ（下位側）に対応する機種固有パラメータ初期データ（渦式固有）ＤＴを読み込む。詳細はつぎの通りである。機種固有パラメータ初期データＤＴに関連付けれられたインデックスＩＮＤＴには、渦式流量計の機種識別データＰＳ（データ「Ｂ」）と同じデータ「Ｂ」が記憶されている。流量パラメータデータ読み込み手段１１３は、機種識別データＰＳとインデックスＩＮＤＴとを比較し（ステップＳ１５０）、両方のデータが一致した場合、インデックスＩＮＤＴに関連付けられた機種固有パラメータ初期データ（渦式固有）ＤＴを読み込む（ステップＳ１６０）。
【００４２】
その後、流量パラメータデータ変換手段１３は、機種固有パラメータ初期データＤＴを、渦式流量計形式の流量測定機器用パラメータデータに変換し（ステップＳ１７０）、通信手段２０は、この変換データを流量測定機器（渦式）５０Ｂの流量パラメータＰＲに設定する（ステップＳ１８０）。
【００４３】
この動作によって、流量測定機器（渦式）５０Ｂの流量パラメータＰＲには、正常なパラメータデータが設定される。このうち、機種固有のパラメータデータには渦式の流量演算を可能とする初期データが設定されるので、流量測定機器５０Ｂは正常な流量演算を行うことができる。なお、この後、ユーザーは入力手段２を介して、流体条件に合った機種固有のパラメータデータに変更設定することができる。
【００４４】
なお、通信手段２０、流量パラメータデータ変換手段１３、機種判別手段１１２および流量パラメータデータ読み込み手段１１３は、論理回路で実現できる他、所定プログラムを実行するプロセッサによって実現することもできる。すなわち、所定プログラムはパラメータ設定プログラムであって、プロセッサを有するコンピュータを、通信手段２０、流量パラメータデータ変換手段１３、機種判別手段１１２および流量パラメータデータ読み込み手段１１３として機能させることができる。
【００４５】
本実施例によれば、機種判別手段１１２によって、予め記憶された機種識別データＤＳ（上位側）（データ「Ａ」）と流量測定機器５０Ａまたは５０Ｂの機種識別データＰＳ（下位側）（データ「Ａ」または「Ｂ」）とが一致するか否かを判別する。そして、流量測定機器５０Ａが接続されていて一致する場合には、流量パラメータデータ読み込み手段１１３が、予め記憶された機種識別データＤＳ（上位側）に対応する機種固有パラメータデータ（差圧式固有）ＤＫを読み込み、流量測定機器５０Ｂが接続されていて不一致の場合には、流量測定機器５０Ｂの機種識別データＰＳ（下位側）に対応する機種固有パラメータ初期データ（渦式固有）ＤＴを読み込む。そして、このパラメータデータを流量パラメータＰＲに設定する。これによって、異なる機種に対し正常な固有パラメータデータを設定することができ、異なる機種において正常な流量演算を可能とするパラメータ設定装置、パラメータ設定プログラムおよびパラメータ設定プログラムを記録した記録媒体を実現できる。併せて、ユーザーにとってパラメータ設定の利便性を良く、製造者にとってパラメータ設定プログラムの開発負担を少なくすることができる。
【００４６】
なお、本実施例では、流量測定機器５０Ａは差圧式流量計、流量測定機器５０Ｂは渦式流量計としたが、これに限られず他の方式の流量計を用いることができる。
【００４７】
［第２の実施例］
第２の実施例について図３を用いて説明する。図３は、パラメータ設定装置２００の構成図であり、図１と同一のものは同一符号を付し説明を省略する。第１の実施例との相違点を中心に説明する。
【００４８】
図３において、図１の構成図との相違点はつぎの通りである。流量パラメータデータ記憶手段２１１は、入力手段２から入力されたユーザーデータを、機種識別データＤＳ、機種共通パラメータデータＤＣ、機種固有パラメータデータ（差圧式固有）ＤＫに予め記憶する。また、入力手段２から、機種固有パラメータデータ（渦式固有）ＤＮが流量パラメータデータ読み込み手段２１３に入力される。
【００４９】
つぎに、パラメータ設定装置２００の動作について、図４の動作フローチャート図を用いて説明する。図４のステップ番号のうち、図２と同一の動作は同一ステップ番号を付し説明を省略する。第１の実施例との相違点を中心に説明する。
【００５０】
図４において、流量測定機器５０Ａ（差圧式流量計）がパラメータ設定装置２００に接続されている場合、図２と同一のステップＳ１０〜ステップＳ４０、ステップＳ６０〜ステップＳ８０が行われる。なお、流量パラメータデータ記憶手段２１１はインデックスを記憶していないので、図２のステップＳ５０は行わない。
【００５１】
この動作によって、流量測定機器（差圧式）５０Ａの流量パラメータＰＲには、正常なパラメータデータが設定されるので、流量測定機器５０Ａは正常な流量演算を行うことができる。
【００５２】
つぎに、流量測定機器５０Ｂ（渦式流量計）が、パラメータ設定装置２００に接続されている場合、図２と同一のステップＳ１００〜ステップＳ１４０が行われる。
【００５３】
その後、流量パラメータデータ読み込み手段２１３は、ユーザーによって入力手段２から入力された流量測定機器（渦式）５０Ｂの有する機種識別データＰＳ（下位側）に対応する機種固有パラメータデータ（渦式固有）ＤＮを読み込む（ステップＳ２００）。機種固有パラメータデータＤＮは、初期データの他、流体条件に合った機種固有のパラメータデータであってもよい。
【００５４】
その後、流量パラメータデータ変換手段１３は、機種固有パラメータデータ（渦式固有）ＤＮを、渦式流量計形式の流量測定機器用パラメータデータに変換し（ステップＳ２１０）、通信手段２０は、この変換データを流量測定機器（渦式）５０Ｂの流量パラメータＰＲに設定する（ステップＳ２２０）。
【００５５】
この動作によって、流量測定機器（渦式）５０Ｂの流量パラメータＰＲには、正常なパラメータデータが設定されるので、流量測定機器５０Ｂは正常な流量演算を行うことができる。
【００５６】
なお、第１の実施例と同様に、所定プログラムはパラメータ設定プログラムであって、プロセッサを有するコンピュータを、通信手段２０、流量パラメータデータ変換手段１３、機種判別手段１１２および流量パラメータデータ読み込み手段２１３として機能させることができる。
【００５７】
本実施例によれば、機種判別手段１１２によって、予め記憶された機種識別データＤＳ（上位側）（データ「Ａ」）と流量測定機器５０Ａまたは５０Ｂの機種識別データＰＳ（下位側）（データ「Ａ」または「Ｂ」）とが一致するか否かを判別する。そして、流量測定機器５０Ａが接続されていて一致する場合には、流量パラメータデータ読み込み手段２１３が、予め記憶された機種識別データＤＳ（上位側）に対応する機種固有パラメータデータ（差圧式固有）ＤＫを読み込み、流量測定機器５０Ｂが接続されていて不一致の場合には、入力手段２から入力された機種固有パラメータデータ（渦式固有）ＤＮを読み込む。そして、このパラメータデータを流量パラメータＰＲに設定する。これによって、第１の実施例と同様に、異なる機種に対し正常な固有パラメータデータを設定することができ、異なる機種において正常な流量演算を可能とするパラメータ設定装置、パラメータ設定プログラムおよびパラメータ設定プログラムを記録した記録媒体を実現できる。併せて、ユーザーにとってパラメータ設定の利便性を良く、製造者にとってパラメータ設定プログラムの開発負担を少なくすることができる。
【００５８】
なお、第１および第２の実施例は、オンライン状態の場合について説明したが、流量測定機器５０Ａ、５０Ｂが稼動していないオフライン状態であってもよい。オフライン状態の場合、流量パラメータエディタ手段１１０、２１０は、接続される予定の流量測定機器の機種識別データＰＳを記憶しておく（図１、３参照）。そして、図２、４のステップＳ１０において、機種識別データＤＳと、流量パラメータエディタ手段１１０、２１０に記憶されている機種識別データＰＳとを比較して、ステップＳ２０またはＳ１００へ移行する。
【００５９】
なお、本発明は、前述の実施例に限定されることなく、その本質を逸脱しない範囲で、さらに多くの変更および変形を含む。また、前述した各手段の組み合わせ以外の組み合わせを含むことができる。
【図面の簡単な説明】
【００６０】
【図１】本発明を適用したパラメータ設定装置の構成図の例である。
【図２】図１のパラメータ設定装置の動作フローチャート図の例である。
【図３】本発明を適用したパラメータ設定装置の構成図の他の例である。
【図４】図３のパラメータ設定装置の動作フローチャート図の例である。
【図５】背景技術で示したパラメータ設定装置の構成図の例である。
【符号の説明】
【００６１】
２  入力手段
２０  通信手段
３０  汎用パラメータエディタ手段
４０  表示手段
５０Ａ  流量測定機器（差圧式）
５０Ｂ  流量測定機器（渦式）
１００、２００  パラメータ設定装置
１１０、２１０  流量パラメータエディタ手段
１１１、２１１  流量パラメータデータ記憶手段
１１２  機種判別手段
１１３、２１３  流量パラメータデータ読み込み手段
ＤＳ  機種識別データ
ＤＣ  機種共通パラメータデータ
ＤＫ  機種固有パラメータデータ（差圧式固有）
ＤＴ  機種固有パラメータ初期データ（渦式固有）
ＤＮ  機種固有パラメータデータ（渦式固有）
【図１】
2010266249.tif 000003
【図２】
2010266249.tif 000004
【図３】
2010266249.tif 000005
【図４】
2010266249.tif 000006
【図５】
2010266249.tif 000007